(57)【要約】【課題】透過型スクリーンに用いられる防眩性と耐擦傷性とを併せ持った表面保護シートであって、簡単かつ安価に製造することができる表面保護シートを提供する。【解決手段】表面保護シート２０は、凹凸が形成された出射側面を有する基材シート２２と、基材シート２２の出射側面２２ａ上に設けられたハードコート層２６と、を備えている。ハードコート層２６は、基材シート２２の出射側面２２ａの凹凸に対応した凹凸が形成された出射側面２６ａを有している。ハードコート層２６の出射側面２６ａの凹凸は、基材シート２２の出射側面２２ａの凹凸よりもなだらかとなっている。【選択図】図１
2007133209.tif 000002
【特許請求の範囲】
【請求項１】
透過型スクリーンに用いられる表面保護シートであって、
凹凸が形成された出射側面を有する基材シートと、
基材シートの出射側面上に設けられたハードコート層であって、基材シートの出射側面の凹凸に対応した凹凸が形成された出射側面を有するハードコート層と、を備え、
ハードコート層の出射側面の凹凸は、基材シートの出射側面の凹凸よりもなだらかとなっていることを特徴とする表面保護シート。
【請求項２】
透過型スクリーンに用いられる表面保護シートであって、
凹凸が形成された出射側面を有する基材シートと、
基材シートの出射側面上に設けられたハードコート層であって、基材シートの出射側面の凹凸に対応した凹凸が形成された出射側面を有するハードコート層と、を備え、
基材シートに液体状の樹脂を塗布し、塗布した樹脂を硬化させることによって、ハードコート層が形成されることを特徴とする表面保護シート。
【請求項３】
基材シートの出射側面の凹凸は、規則的に配列された凹凸からなることを特徴とする請求項１または２に記載の表面保護シート。
【請求項４】
基材シートの出射側面の凹凸は、断面略三角形状を有する凸部がストライプ状に配列されてなることを特徴とする請求項１乃至３のいずれか一項に記載の表面保護シート。
【請求項５】
基材シートの出射側面の凹凸は、略四角錐状の凸部または凹部が正方配列されてなることを特徴とする請求項１乃至３のいずれか一項に記載の表面保護シート。
【請求項６】
基材シートの出射側面の凹凸は、略四角錐状の凸部または凹部がデルタ配列されてなることを特徴とする請求項１乃至３のいずれか一項に記載の表面保護シート。
【請求項７】
基材シートの出射側面の凹凸は、略六角錐状の凸部または凹部がハニカム配列されてなることを特徴とする請求項１乃至３のいずれか一項に記載の表面保護シート。
【請求項８】
請求項１乃至７のいずれか一項に記載の表面保護シートを備えたことを特徴とする透過型スクリーン。
【請求項９】
請求項１乃至７のいずれか一項に記載の表面保護シートを備えたことを特徴とする背面投写型表示装置。
【発明の詳細な説明】
【技術分野】
【０００１】
本発明は、透過型スクリーンに用いられる表面保護シートに係り、とりわけ簡単な構成からなり安価に製造することができる表面保護シートに関する。また、本発明は、このような表面保護シートを備えた透過型スクリーンに関する。
【背景技術】
【０００２】
従来、プロジェクションＴＶ等の背面投写型表示装置として、ＣＲＴ、液晶プロジェクター、ＤＬＰ等の光源と、光源からの映像光を背面から受けて観察者側に映像を表示する透過型スクリーンと、を備えたものが知られている。
【０００３】
このような透過型スクリーンの最も観察者側の表面が鏡面である場合には、外光が正反射して写り込み、透過型スクリーンの視認性が著しく悪化する。このような不具合を解消するため、光拡散性粒子とこの光拡散性粒子を含有するバインダー樹脂とからなる防眩層を最観察者側面に設けた例が、特開２０００−２５８６１３（特許文献１）に開示されている。この防眩層において、光拡散粒子はバインダー樹脂中から観察者側に突出しており、これにより、外光の正反射を防止し拡散している。したがって、防眩性能は光拡散粒子の粒径や濃度によって調整され得る。
【０００４】
また、今日においては、バインダー樹脂としてハードコート液を用い、光拡散性粒子を含有したハードコート液を塗布することによって形成された防眩層も開発されつつある。すなわち、このような透過型スクリーンの最観察者側表面は、防眩性と耐擦傷性とを併せ持つことになり、使用勝手が非常に良い。
【特許文献１】特開２０００−２５８６１３号公報
【発明の開示】
【発明が解決しようとする課題】
【０００５】
しかしながら、光拡散性粒子が無機ガラスビーズや無機結晶粒子等からなる場合、光拡散性粒子を含んだバインダー樹脂を塗布する際に、塗布装置の流路壁面を削ってしまうという不都合が生じる。また、光拡散性粒子が有機系微粒子等からなる場合、塗布装置の流路壁面を削ってしまうことはないが、流路中の流れが悪い部分に光拡散性流子が堆積してしまい、塗布装置のメンテナンスが煩雑になるという不都合が生じる。
【０００６】
すなわち、従来の方法では、防眩性と耐擦傷性とを併せ持つ透過型スクリーンを簡単かつ安価に製造することができない。
【０００７】
本発明はこのような点を考慮してなされたものであり、透過型スクリーンに用いられる防眩性と耐擦傷性とを併せ持った表面保護シートであって、簡単かつ安価に製造することができる表面保護シートを提供することを目的とする。また、本発明は、防眩性と耐擦傷性とを併せ持ち、簡単かつ安価に製造することができる表面保護シートを備えた透過型スクリーンを提供することを目的とする。
【課題を解決するための手段】
【０００８】
本発明は、透過型スクリーンに用いられる表面保護シートであって、凹凸が形成された出射側面を有する基材シートと、基材シートの出射側面上に設けられたハードコート層であって、基材シートの出射側面の凹凸に対応した凹凸が形成された出射側面を有するハードコート層と、を備え、ハードコート層の出射側面の凹凸は、基材シートの出射側面の凹凸よりもなだらかとなっていることを特徴とする表面保護シートである。
【０００９】
本発明は、透過型スクリーンに用いられる表面保護シートであって、凹凸が形成された出射側面を有する基材シートと、基材シートの出射側面上に設けられたハードコート層であって、基材シートの出射側面の凹凸に対応した凹凸が形成された出射側面を有するハードコート層と、を備え、基材シートに液体状の樹脂を塗布し、塗布した樹脂を硬化させることによって、ハードコート層が形成されることを特徴とする表面保護シートである。
【００１０】
本発明は、基材シートの出射側面の凹凸は、規則的に配列された凹凸からなることを特徴とする表面保護シートである。
【００１１】
本発明は、基材シートの出射側面の凹凸は、断面略三角形状を有する凸部がストライプ状に配列されてなることを特徴とする表面保護シートである。
【００１２】
本発明は、基材シートの出射側面の凹凸は、略四角錐状の凸部または凹部が正方配列されてなることを特徴とする表面保護シートである。
【００１３】
本発明は、基材シートの出射側面の凹凸は、略四角錐状の凸部または凹部がデルタ配列されてなることを特徴とする表面保護シートである。
【００１４】
本発明は、基材シートの出射側面の凹凸は、略六角錐状の凸部または凹部がハニカム配列されてなることを特徴とする表面保護シートである。
【００１５】
本発明は、上述したいずれかの表面保護シートを備えたことを特徴とする透過型スクリーンである。
【００１６】
本発明は、上述したいずれかの表面保護シートを備えたことを特徴とする背面投写型表示装置である。
【発明の効果】
【００１７】
本発明の表面保護シートによれば、表面保護シートの出射側表面はハードコート層からなっているので耐擦傷性を有している。また、ハードコート層の出射側面が凹凸を有しているので、外光は拡散反射され、外光の写り込みを格段に低減することができる。さらに、このような表面保護シートは簡単かつ安価に製造することができる。
【発明を実施するための最良の形態】
【００１８】
以下添付図面を参照して本発明の実施の形態について説明する。
【００１９】
図１および図２は本発明による表面保護シートおよび透過型スクリーンの一実施の形態を示す図である。このうち図１は表面保護シート２０を示す幅方向に沿った断面図であり、図２は図１に示す表面保護シート２０を備えた透過型スクリーン１０を示す幅方向に沿った断面図である。
【００２０】
このような透過型スクリーン１０は、図１１に示すような背面投写型表示装置１のスクリーンとして用いられ、光源３から投射されミラー５によって反射された映像光が透過型スクリーン１０に投影されるようになっている。
【００２１】
図２に示すように本実施の形態による透過型スクリーン１０は、最も光源３側に設けられたフレネルレンズシート１２と、フレネルレンズシート１２の観察者側に設けられた視野拡大レンズシート１４と、視野拡大レンズシート１４の出射側面１４ａに粘着層を介して接着された表面保護シート２０と、を備えている。
【００２２】
このうちフレネルレンズシート１２は、同心円上に配置されたフレネルレンズ要素１３を多数有しており、光源３から拡大投影された映像光を屈折させ、フレネルレンズシート１２に略直交する方向へ光を出射するようになっている。ただし、フレネルレンズシート１２は必須ではなく、透過型スクリーン１０に求められる性能等に応じて省くこともできる。
【００２３】
図２に示すように、本実施の形態において、視野拡大レンズシート１４はレンチキュラーレンズシートからなり、フレネルレンズシート１２側から入射する光を幅方向（図２における紙面の左右方向）に拡散させる略半円柱状のレンズ要素１５を多数有している。すなわち、視野拡大レンズシート１４は映像光を幅方向に拡散させることによって視野角を拡大させるためのシートである。
【００２４】
ただし、視野拡大レンズシートは映像光を拡散させることができる限りにおいて、レンチキュラーレンズシートに限定されない。例えば、図３に示すように、シート状基部１７と、シート状基部１７の出射面側に設けられシート状基部１７よりも低屈折率の材料からなる低屈折率部１８と、を有する視野拡大レンズシート１６を用いることもできる。この視野拡大レンズシート１６においては、シート状基部１７と低屈折率部１８との界面が反射面となり映像光が幅方向に拡散される。
【００２５】
次に、表面保護シート２０について説明する。
【００２６】
図２に示すように、表面保護シート２０は透過型スクリーン１０の最観察者側に配置され、透過型スクリーン１０の出射側表面１０ａを形成している。このような表面保護シート２０は、図１に示すように、規則的に配列された凹凸が形成された出射側面２２ａを有する基材シート２２と、基材シート２２の出射側面２２ａ上に設けられたハードコート層２６であって、基材シート２２の出射側面２２ａの凹凸に対応した凹凸が形成された出射側面２６ａを有するハードコート層２６と、を備えている。そして、ハードコート層２６の出射側面２６ａの凹凸は、基材シート２２の出射側面２２ａの凹凸よりもなだらかに、言い換えると緩やかに、さらに言い換えると起伏が少なく、なっている。
【００２７】
なお、ここでいうハードコート層２６は、基材シート２２以上の硬度（ＪＩＳ  Ｋ５６００−５−４に準拠した鉛筆硬度試験により測定）を有するようになる材料によって形成される。すなわち、透過型スクリーン１０の出射側表面１０ａはハードコート層２６により形成されているので、透過型スクリーン１０の出射側表面１０ａを拭いたり、何らかの原因で擦ったりするようなことが生じたとしても、透過型スクリーン１０が傷付いてしまうことを抑制することができる。また、ハードコート層２６の出射側面２６ａには凹凸が形成されていることから、外光が正反射してしまうことを防止することができ、観察者は外光の写り込みが抑制された視認性の良好な映像を観察することができる。
【００２８】
図１に示すように、本実施の形態において、基材シート２２の出射側面２２ａには、断面略三角形状を有し上下方向（図１における紙面の奥行き方向）に延びる凸部２３が幅方向に沿って連続して隙間なくストライプ状に配列されてなる規則的な凹凸が形成されている。したがって、基材シート２２とハードコート層２６とを異なる屈折率を有する樹脂からそれぞれ形成することにより、基材シート２２とハードコート層２６との界面に所望の光学的効果、例えば、映像光を拡散させて視野角を拡大させる等の効果を発現させることもできる。
【００２９】
なお、このような基材シート２２は、樹脂を押出加工することにより形成され得り、従来の設備を用いて安価に製造することができる。基材シートを形成する樹脂は、高い透明性と、後に説明するハードコート層２６との良好な接着性と、を有していることが好ましい。具体的には、樹脂として、押し出し成形可能な熱可塑性樹脂、例えば、アクリル樹脂、メタクリル樹脂、またはスチレン樹脂等を用いることができる。
【００３０】
また、断面略三角形状を有する凸部２３の形状および配置ピッチは、基材シート２２を押出加工によって容易に形成することができるよう、凸部２３の配置ピッチが３μｍから３０μｍで、凸部２３の高さが５μｍから３０μｍの範囲となることが好ましい。しかしながら、外光の写り込みを抑制することができる限りにおいて、この範囲に特に限定されることはなく、特に基材シート２２とハードコート層２６との界面が所望の光学的効果を発現することを期待する場合等の特別な事情に合わせ、適宜変更してもよい。
【００３１】
一方、ハードコート層２６は、電離放射線硬化型樹脂や熱可塑性樹脂等からなる液体状の樹脂を基材シート２２の出射側面２２ａに塗布し、塗布した樹脂を硬化させることにより形成することができる。この場合、基材シート２２の出射側面２２ａが上方に向いた状態で樹脂を塗布することにより、樹脂は基材シート２２の出射側面２２ａ上の突出した山部（凸部）２４ａ上からくぼんだ谷部（凸部２３と凸部２３との間の凹部）２４ｂ上へと流動しながら硬化する。すなわち、図１に示すように、基材シート２２の山部２４ａ上のハードコート層２６は薄くなるとともに谷部２４ｂ上のハードコート層２６は厚くなる傾向となり、これにより、ハードコート層２６の出射側面２６ａの凹凸を基材シート２２の出射側面の凹凸よりもなだらかにすることができる。このようにハードコート層２６の出射側面２６ａ、すなわち、透過型スクリーン１０の最観察側表面１０ａの凹凸をなだらかにして尖端をなくすことにより、観察者はざらつき感の無い自然な映像を観察することができる。
【００３２】
なお、液体状の樹脂を塗布する方法としては、スピンコート、ダイコート、ディップコート、バーコート、フローコート、ロールコート、グラビアコート等の方法を用いることができる。また、樹脂を硬化する方法は、樹脂の種類に応じて適宜設定することができ、例えば、電離放射線硬化型樹脂を用いた場合には電子線や紫外線を樹脂に照射することにより、熱可塑性樹脂を用いた場合には樹脂を加熱することにより、硬化させることができる。
【００３３】
したがって、いずれの工程も既存の設備をそのまま用いて行うことができ、結果として、このような表面保護シート２０を非常に安価に製造することができる。特に、液体状の樹脂を塗布する工程においては、樹脂中に光拡散性粒子が含まれていないことから、塗布装置の流路壁面が削られてしまったり、流路中に光拡散性流子が堆積してしまったりするという不都合が生じてしまうことはない。したがって、塗布装置のメンテナンスは容易であり、メンテナンス費用も安価となる。
【００３４】
なお、このようなハードコート層２６の表面硬度は、ＪＩＳ  Ｋ５６００−５−４に準拠した鉛筆硬度試験において３Ｈ以上であることが好ましい。また、ハードコート層２６の表面硬度は、その膜厚にも依存する。したがって、このような観点から、ハードコート層２６の膜厚は５μｍから２０μｍの範囲であることが好ましい。
【００３５】
また、防眩性を向上させるためには、以下の式（１）を満たすよう、ハードコート層２６および基材シート２２を形成する樹脂を選択することが有効である。式（１）を満たす場合には、ハードコート層２６に入り込んだ外光が、基材シート２２とハードコート層２６との界面で反射し、再度ハードコート層２６から観察者側へ出射することを抑制することができる。
【００３６】
基材シートの屈折率＞ハードコート層の屈折率    ・・・式（１）
以上のように本実施の形態によれば、透過型スクリーン１０の最観察側には、凹凸が形成された出射側面２２ａを有する基材シート２２と、基材シート２２の出射側面２２ａ上に設けられたハードコート層２６であって、基材シート２２の出射側面２２ａの凹凸に対応した凹凸が形成された出射側面２６ａを有するハードコート層２６と、からなる表面保護シート２０が設けられており、ハードコート層２６の出射側面２６ａの凹凸は、基材シート２２の出射側面２２ａの凹凸よりもなだらかとなっている。すなわち、透過型スクリーン１０の最観察側表面１０ａは、なだらかな凹凸が形成されたハードコート層２６の出射側面２６ａから構成されている。したがって、透過型スクリーン１０は、拭いたり、何らかの原因で擦ったりするようなことが生じたとしても傷付きにくい耐擦傷性を有するとともに、外光の正反射を防止して外光の写り込みを抑え良好な視認性をもたらす防眩性を有している。また、ハードコート層２６の出射側面２６ａはなだらかで尖端のない凹凸を有しているので、透過型スクリーン１０に映し出される映像はざらつき感の無い自然な映像となる。
【００３７】
また、このような透過型スクリーン１０の表面保護シート２０は、基材シート２２を押出成形するとともに、基材シート２２の出射側面２２ａに液体状の樹脂を塗布し、塗布した樹脂を硬化させることによって、製造することができる。したがって、既存の設備をそのまま用いることができ、結果として、このような表面保護シート２０を非常に安価に製造することができる。特に、液体状の樹脂を塗布する工程においては、樹脂中に光拡散性粒子が含まれていないことから、塗布装置の流路壁面が削られてしまったり、流路中に光拡散性流子が堆積してしまったりするという不都合が生じない。したがって、塗布装置のメンテナンスは容易であり、メンテナンス費用も安価となる。
【００３８】
さらに、本実施の形態によれば、光拡散性粒子を含有させた場合のランダムな凹凸面と異なり、基材シート２２の出射側面２２ａの凹凸は意図的に配列された凹凸からなっている。したがって、基材シート２２とハードコート層２６とを異なる屈折率を有する樹脂からそれぞれ形成することにより、基材シート２２とハードコート層２６との界面に所望の光学的効果、例えば、映像光を拡散させて視野角を拡大させる等の効果を発現させることもできる。また、基材シート２２の出射側面２２ａの凹凸の構成を適宜調整することにより、ランダムな凹凸では実現できない光学的効果、例えば、側面から来る外光を特に反射防止する等の指向性を持たせることや、画面面内で反射防止効果に分布を持たせること等の効果を発現させることができる。
【００３９】
なお、本実施の形態において基材シート２２の出射側面２２ａの凹凸が、断面略三角形状を有する凸部２３を隙間なくストライプ状に配列することによって形成された例を示したが、これに限られず、例えば図４乃至図１０に示すように、適宜変更することができる。
【００４０】
以下図４乃至図１０を用いて変形例について説明する。なお、図４乃至図１０に示す変形例は基材シート２２の出射側面２２ａの構成が異なり、他は図１および図２を用いて説明した実施の形態と略同一である。図４乃至図１０において、図１および図２に示す実施の形態と同一部分には同一符号を付して詳細な説明は省略する。
【００４１】
まず、図４乃至図７に示す変形例について説明する。このうち図４は基材シート２２の出射側面２２ａの凹部２３ａを示す斜視図である。図４に示すにように、本変形例における凹部２３ａは略正四角錐状からなっている。このような凹部２３ａを隙間なく正方配列することにより（図５）、あるいは凹部２３ａを隙間なくデルタ配列することにより（図６）、基材シート２２の出射側面２２ａの凹凸を形成してもよい。ここで正方配列とは、図５に示すように、略同一形状からなる凹部２３ａが上下方向および幅方向のいずれにも直線状に揃えられて配置された配列のことである。また、デルタ配列とは、図６に示すように、略同一形状からなる凹部２３ａが上下方向および幅方向のいずれかに直線状に揃えられて配置されるとともに、隣接する列状に並べられた凹部２３ａが略半配置ピッチずらして配置された配列のことである。なお、本変形例において略正四角錐状からなる凹部２３ａにより基材シート２２の出射側面２２ａに凹凸を形成する例を示したが、これに限られず、図７に示すような略正四角錐状からなる凸部２３ｂを隙間なく正方配列することにより（図５）、あるいはこの凸部２３ｂを隙間なくデルタ配列することにより（図６）、基材シート２２の出射側面２２ａに凹凸を形成することもできる。
【００４２】
次に、図８乃至１０に示す変形例について説明する。このうち図８は基材シート２２の出射側面２２ａの凹部２３ｃを示す斜視図である。図８に示すように、本変形例における凹部２３ｃは略正六角錐状からなっている。このような凹部２３ｃを隙間なくハニカム配列することにより（図９）、基材シート２２の出射側面２２ａに凹凸を形成してもよい。ここでハニカム配列とは、図９に示すように、略六角錐状からなる凹部２３ｃの周囲六方に略同一形状からなる凹部２３ｃが隙間なく配置されている配列のことである。なお、本変形例において略正六角錐状からなる凹部２３ｃにより基材シート２２の出射側面２２ａに凹凸を形成する例を示したが、これに限られず、図１０に示すような略正六角錐状からなる凸部２３ｄを隙間なくハニカム配列することにより、基材シート２２の出射側面２２ａに凹凸を形成することもできる。
【００４３】
また、本実施の形態および上述した変形例において、基材シート２２の出射側面２２ａの凹凸が、規則的に配列された凹凸からなる、すなわち、規則的に配列された凹部または凸部からなる例を示したが、これに限られず、不規則に配列された凹凸によって基材シート２２の出射側面２２ａに凹凸を形成するようにしてもよい。このような例として、基材シート２２の出射側面２２ａに、同一または異なる形状からなる凹部、または凸部、または凹部と凸部とをランダムに設けた所謂マット面が考えられる。
【００４４】
さらに、本実施の形態および変形例において、図２および図３に示すように、表面保護シート２０が粘着層を介して視野拡大レンズシート１４，１６に接着されている例を示したが、これに限られず、表面保護シート２０と視野拡大レンズシート１４，１６とを接着させないで透過型スクリーン１０を構成することもできる。
【実施例】
【００４５】
フレネルレンズとレンチキュラーレンズとを備え、５０インチ型で縦横比９：１６の既存のスクリーンに、図１に示す表面保護シートをさらに設けて透過型スクリーンを製造した。
【００４６】
表面保護シートの基材シートは、メタクリル樹脂とスチレン樹脂の共重合体樹脂を押出加工して形成した。基材シートの出射側面に、高さを１０μｍとし配置ピッチを１０μｍとした断面三角形状を有する凸部を隙間なく形成した。
【００４７】
表面保護シートのハードコート層は、基材シート上の出射側面上に紫外線硬化型のハードコート剤をダイコートにより塗布し、塗布されたハードコート剤を紫外線の照射によって硬化させることにより形成した。ハードコート層の出射側面の凹凸は、基材シートの出射側面の凹凸よりもなだらかとなった。ハードコート層の膜厚は最も薄い場所、すなわち基材シートの凸部の山部上において略５μｍであった。また、ハードコート層の膜厚は最も厚い場所、すなわち基材シートの凸部間の谷部上において略７μｍであった。
【００４８】
このような透過型スクリーンを図１１に示す背面投写型表示装置に取り付け、液晶プロジェクター（液晶光源）によって映像光を投写した。透過型スクリーンには外光の写り込みが目立たない視認性の良い映像が表示された。また、映像を観察する上で、透過型スクリーンの最観察者側表面（ハードコート層の出射側面）の凹凸は気にならない程度であり、これにより、ざらつき感の無い自然な映像を観察することができた。
【図面の簡単な説明】
【００４９】
【図１】本発明による表面保護シートの一実施の形態を示す断面図。
【図２】図１に示す表面保護シートを備えた透過型スクリーンを示す断面図。
【図３】透過型スクリーンの変形例を示す図。
【図４】基材シートの出射側面に設けられる凹部を示す斜視図。
【図５】基材シートの凹部または凸部の配列の変形例を示す図。
【図６】基材シートの凹部または凸部の配列の変形例を示す図。
【図７】基材シートの出射側面に設けられる凸部の変形例を示す斜視図。
【図８】基材シートの出射側面に設けられる凹部の変形例を示す斜視図。
【図９】基材シートの凹部または凸部の配列の変形例を示す図。
【図１０】基材シートの出射側面に設けられる凸部の変形例を示す斜視図。
【図１１】透過型スクリーンを備えた背面投写型表示装置を示す斜視図。
【符号の説明】
【００５０】
１０  透過型スクリーン
２０  表面保護シート
２２  基材シート
２２ａ  出射側面
２６  ハードコート層
２６ａ  出射側面
２３，２３ｂ，２３ｄ  凸部
２３ａ，２３ｃ  凹部
【図１】
2007133209.tif 000003
【図２】
2007133209.tif 000004
【図３】
2007133209.tif 000005
【図４】
2007133209.tif 000006
【図５】
2007133209.tif 000007
【図６】
2007133209.tif 000008
【図７】
2007133209.tif 000009
【図８】
2007133209.tif 000010
【図９】
2007133209.tif 000011
【図１０】
2007133209.tif 000012
【図１１】
2007133209.tif 000013